(57)【特許請求の範囲】
【請求項１】
複数の材料が含まれた原料が、所定の角度傾斜しているとともに振動が付与されている傾斜スクリーンの一方の側から供給され、前記傾斜スクリーンの他方の側、または、前記傾斜スクリーンの他方の側の先端に、前記所定の角度より緩い角度に設けられたシュート部材上に位置したとき、前記原料から軽量の材料を選別するための吸引風力式選別装置であって、
前記軽量な材料を吸引するための吸引用空気を生成するための送風機と、
前記傾斜スクリーンの他方の側の上方に、前記原料の移動方向を横切るように設けられ、空気の流通が可能であるとともに所定の幅を有する無端ベルトであって、前記横切る方向に延びた巻回運動軌跡上を移動可能に、前記巻回運動軌跡の前記傾斜スクリーン側の面が、前記傾斜スクリーンに対して所定の間隔を有するとともに平行または略平行になるように設けられ、所定の大きさ以上であって軽量の材料を、前記吸引用空気により前記面に吸引させて前記横切る方向に回収するための巻回ベルトと、
前記巻回ベルトを所定の方向に巻回運動させるための巻回駆動機構と、
前記巻回ベルトの中間に、前記傾斜スクリーン側を向いている吸引口が一方の側に設けられた吸引ダクトと、
前記送風機の吸込口、または、排気口に接続可能に設けられ、前記巻回ベルトを通過して前記吸引ダクトに流入した前記吸引用空気から前記所定の大きさ以下であって所定以上の質量を持った塵埃を遠心力で分離して集塵するための軸流式サイクロン集塵装置とを備え、
前記軸流式サイクロン集塵装置は、
一方の端部側の流入部と、他方の端部側の流出部と、前記流出部近傍の外周に設けられた塵埃排出部とを有し、筒状に形成されたサイクロン筒体と、
前記サイクロン筒体のサイクロン室の中央部に設けられ、前記流入部から流入し、前記サイクロン筒体の軸線方向と平行に流れていく前記中央部近傍の空気の流れを、前記中央部側から前記サイクロン筒体の内壁面側に向かう方向に変える第１案内部材と、
前記サイクロン筒体と前記第１案内部材との間に、所定角度傾斜するとともに、所定の角度毎に、複数枚、設けられた案内羽根からなり、前記流入部から流入し、前記サイクロン筒体の軸線方向と平行に流れていく前記中央部近傍の空気以外の他の空気の流れを、前記案内羽根の傾斜により、前記サイクロン室内を螺旋状に、前記流入側から前記流出側に流れる旋回流に変える第２案内部材とを有し、
前記塵埃排出部には、所定の角度毎に、放射状に設けられた複数の羽根を有するロータを回転させることで、前記羽根間の空間に落下した前記塵埃を外部に排出するためのロータリーバルブが設けられ、
前記軸流式サイクロン集塵装置は、前記吸引ダクトの他方の側と前記送風機の吸込口との間に設けられており、
前記傾斜スクリーンの下方には、前記傾斜スクリーンの下方に位置するとともに、他方の側が前記ロータリーバルブの下方位置まで延在するように設けられ、前記ロータリーバルブから排出されベルト上に載った前記塵埃を前記他方の側から前記一方の側に移動させるためのベルトコンベアを有している
ことを特徴とする集塵機能を備えた吸引風力式選別装置。
【請求項２】
請求項１に記載された吸引風力式選別装置において、
前記傾斜スクリーンは、所定の大きさのふるい目を有するものであり、前記原料が前記傾斜スクリーンの一方の側から他方の側に移動している間に、所定の大きさ以下の材料を、前記ふるい目を介して前記傾斜スクリーンの下方側に落下させて選別するものである
ことを特徴とする集塵機能を備えた吸引風力式選別装置。
【請求項３】
複数の材料が含まれた原料が、搬送装置の一方の側から供給され、前記搬送装置の他方の側に位置したとき、前記原料から軽量の材料を選別するための吸引風力式選別装置であって、
前記軽量な材料を吸引するための吸引用空気を生成するための送風機と、
前記搬送装置の他方の側の上方に、前記原料の移動方向を横切るように設けられ、空気の流通が可能であるとともに所定の幅を有する無端ベルトであって、前記横切る方向に延びた巻回運動軌跡上を移動可能に、前記巻回運動軌跡の前記搬送装置側の面が、前記搬送装置に対して所定の間隔を有するとともに平行または略平行になるように設けられ、所定の大きさ以上であって軽量の材料を、前記吸引用空気により前記面に吸引させて前記横切る方向に回収するための巻回ベルトと、
前記巻回ベルトを所定の方向に巻回運動させるための巻回駆動機構と、
前記巻回ベルトの中間に、前記搬送装置側を向いている吸引口が一方の側に設けられた吸引ダクトと、
前記送風機の吸込口、または、排気口に接続可能に設けられ、前記巻回ベルトを通過して前記吸引ダクトに流入した前記吸引用空気から前記所定の大きさ以下であって所定以上の質量を持った塵埃を遠心力で分離して集塵するための軸流式サイクロン集塵装置とを備え、
前記軸流式サイクロン集塵装置は、
一方の端部側の流入部と、他方の端部側の流出部と、前記流出部近傍の外周に設けられた塵埃排出部とを有し、筒状に形成されたサイクロン筒体と、
前記サイクロン筒体のサイクロン室の中央部に設けられ、前記流入部から流入し、前記サイクロン筒体の軸線方向と平行に流れていく前記中央部近傍の空気の流れを、前記中央部側から前記サイクロン筒体の内壁面側に向かう方向に変える第１案内部材と、
前記サイクロン筒体と前記第１案内部材との間に、所定角度傾斜するとともに、所定の角度毎に、複数枚、設けられた案内羽根からなり、前記流入部から流入し、前記サイクロン筒体の軸線方向と平行に流れていく前記中央部近傍の空気以外の他の空気の流れを、前記案内羽根の傾斜により、前記サイクロン室内を螺旋状に、前記流入側から前記流出側に流れる旋回流に変える第２案内部材とを有し、
前記塵埃排出部には、所定の角度毎に、放射状に設けられた複数の羽根を有するロータを回転させることで、前記羽根間の空間に落下した前記塵埃を外部に排出するためのロータリーバルブが設けられ、
前記軸流式サイクロン集塵装置は、前記吸引ダクトの他方の側と前記送風機の吸込口との間に設けられており、
前記搬送装置の下方には、前記搬送装置の下方に位置するとともに、他方の側が前記ロータリーバルブの下方位置まで延在するように設けられ、前記ロータリーバルブから排出されベルト上に載った前記塵埃を前記他方の側から前記一方の側に移動させるためのベルトコンベアを有している
ことを特徴とする集塵機能を備えた吸引風力式選別装置。
【発明の詳細な説明】
【技術分野】
【０００１】
本発明は、建築廃材、混合産業廃棄物等原料から、軽量な不純物、不要材料を選別してリサイクル可能な材料にするための吸引風力式選別装置に関する。さらに詳しくは、小型、かつ、簡素な構成で、軽量な不純物、不要材料を吸引風力で選別するとともに、空気とともに吸い込んだ所定の大きさ以下の軽量物を、排気する空気から除去することができる集塵機能を備えた吸引風力式選別装置に関する。
【背景技術】
【０００２】
コンクリート廃材、アスファルト廃材等の建築廃材は、建築工事、解体工事、土木工事などにおいて、建設副産物（建設廃棄物）として排出される。この建設副産物は、産業廃棄物として廃棄するのでなく有効利用することが求められている。すなわち、建築廃材は、ふるい装置により、所定の大きさ（例えば４０ｍｍ）以上の物と所定の大きさ以下の物とに分ける粗ぶるいを行い、再生路盤材などとして再利用するとよい。しかし、建築廃材には、木くず、紙、プラスチックなどいろいろな物が混ざっており、そのままでは再利用することができない。
【０００３】
言い換えると、所定の大きさ以下に分別された建築廃材は、例えば、再生路盤材などとして利用可能であるが、その建築廃材の中に木くず、紙、ビニール等プラスチックなどの不純物、不要材料、ゴミと呼ばれるものが多く混ざっていると、再生路盤材等に再利用することができない。そこで、建築廃材は、作業者による手選別で、木くず、紙、プラスチックなどを選別して取り除く作業が必要であった。
【０００４】
しかしながら、手選別で、建築廃材、混合産業廃棄物から不純物、不要材料を取り除く作業はたいへんな作業である。また、混合産業廃棄物に含まれている小さい物（例えば、４０ｍｍ以下のもの）は、手選別が容易でなく、埋め立て処理されてしまうことが多い。そのため、自動で選別することが可能な選別装置、選別方法、選別システムが、種々、提案されている。このような選別装置等について、特許文献を例にとって、さらに説明を行う。
【０００５】
従来の建築廃材の処理システムとして、スクリーン及び振動付与機構を有する振動ふるい装置と、吸引ノズル、サイクロン及びファン装置を有する不純物除去装置と、吸引ノズル下方のスリット網に下方から風を送る第１の送風機構とを具備しているものが知られている（例えば、特許文献１参照）。この特許文献１の建築廃材の処理システムでは、建設廃材が、振動ふるい装置のスクリーンにおいてふるい分けられ、スクリーンをオーバーしたオーバー材はスリット網側へ送られ、比較的軽量な不純物が吸引ノズルにより吸引除去されている。
【０００６】
また、空き缶や空き瓶等の固形ごみと収容袋等の可塑性ごみとが混在した混合ごみを落下させる落下シュートの途中に、収容袋等の可塑性ごみを空気の吸引力により網状コンベアベルトの表面に吸着させた状態で落下シュートとは別の箇所まで搬送する吸引選別手段を備え、吸引力を利用することにより空缶，空瓶以外のものを選別することができる風力選別装置に関する技術が知られている（例えば、特許文献２参照）。そして、この技術では、吸引選別手段に集塵器が備えられ、集塵器で集塵処理された空気が排出されている。
【０００７】
一方、本出願人は、小型かつ簡素な構成で、複数の材料からなる原料から、大きさ別、重量別の材料に、確実に選別を行うことができる吸引風力式選別装置を提案している（特許文献３参照）。
【先行技術文献】
【特許文献】
【０００８】
【特許文献１】特開２００３−１１７４９２号公報
【特許文献２】特許第３２４９４１５号公報
【特許文献３】特開２００９−７８２６５号公報
【発明の概要】
【発明が解決しようとする課題】
【０００９】
しかしながら、特許文献１に記載された技術は、吸引ノズル、サイクロン、吸引用ファン装置、第１及び第２のダクトとから構成されている不純物除去装置を必要とするなど、設備が大型化し、設備費も高額なものとなり、メンテナンスも容易でないという問題点があった。また、圧力損失が伴う接線流入式のサイクロンの採用は、ファン装置の大型化を招き、この建築廃材の処理システムは広い設置面積を必要とするものとなるおそれがあった。
【００１０】
また、特許文献２に記載された技術は、シュート側垂直面、下側水平面に亘る断面Ｌ字状の開口面を有する吸引シュートから自然落下する可塑性ごみを吸引するものであり、吸引に相当な風量を必要とするものである。集塵器について種類が特定されていないが、一般的なバグフィルタ方式の集塵機、接線流入式サイクロンとすれば、この風量に対応して設備が大型化し、広い設置面積を必要とし、設備費も高額なものになるおそれがあるという問題点があった。
特許文献３の技術は、吸引選別を行うための吸引用空気から塵埃を分離して排気できるように改良することが要望されている。
【００１１】
本発明は、前記した問題点を解決するためになされたもので、下記の目的を達成する。
本発明の目的は、小型かつ簡素な構成で、複数の材料からなる原料から、軽量の材料を吸引風力で選別するとともに、吸引選別する際、吸引用空気に含まれる塵埃を空気とともに外部に排気しないようにすることができる集塵機能を備えた吸引風力式選別装置を提供することにある。
【課題を解決するための手段】
【００１２】
本発明は、前記目的を達成するために次の手段をとる。
本発明１の集塵機能を備えた吸引風力式選別装置は、
複数の材料が含まれた原料が、所定の角度傾斜しているとともに振動が付与されている傾斜スクリーンの一方の側から供給され、前記傾斜スクリーンの他方の側、または、前記傾斜スクリーンの他方の側の先端に、前記所定の角度より緩い角度に設けられたシュート部材上に位置したとき、前記原料から軽量の材料を選別するための吸引風力式選別装置であって、前記軽量な材料を吸引するための吸引用空気を生成するための送風機と、前記傾斜スクリーンの他方の側の上方に、前記原料の移動方向を横切るように設けられ、空気の流通が可能であるとともに所定の幅を有する無端ベルトであって、前記横切る方向に延びた巻回運動軌跡上を移動可能に、前記巻回運動軌跡の前記傾斜スクリーン側の面が、前記傾斜スクリーンに対して所定の間隔を有するとともに平行または略平行になるように設けられ、所定の大きさ以上であって軽量の材料を、前記吸引用空気により前記面に吸引させて前記横切る方向に回収するための巻回ベルトと、前記巻回ベルトを所定の方向に巻回運動させるための巻回駆動機構と、前記巻回ベルトの中間に、前記傾斜スクリーン側を向いている吸引口が一方の側に設けられた吸引ダクトと、前記送風機の吸込口、または、排気口に接続可能に設けられ、前記巻回ベルトを通過して前記吸引ダクトに流入した前記吸引用空気から前記所定の大きさ以下であって所定以上の質量を持った塵埃を遠心力で分離して集塵するための軸流式サイクロン集塵装置とを備え、前記軸流式サイクロン集塵装置は、一方の端部側の流入部と、他方の端部側の流出部と、前記流出部近傍の外周に設けられた塵埃排出部とを有し、筒状に形成されたサイクロン筒体と、前記サイクロン筒体のサイクロン室の中央部に設けられ、前記流入部から流入し、前記サイクロン筒体の軸線方向と平行に流れていく前記中央部近傍の空気の流れを、前記中央部側から前記サイクロン筒体の内壁面側に向かう方向に変える第１案内部材と、前記サイクロン筒体と前記第１案内部材との間に、所定角度傾斜するとともに、所定の角度毎に、複数枚、設けられた案内羽根からなり、前記流入部から流入し、前記サイクロン筒体の軸線方向と平行に流れていく前記中央部近傍の空気以外の他の空気の流れを、前記案内羽根の傾斜により、前記サイクロン室内を螺旋状に、前記流入側から前記流出側に流れる旋回流に変える第２案内部材とを有し、前記塵埃排出部には、所定の角度毎に、放射状に設けられた複数の羽根を有するロータを回転させることで、前記羽根間の空間に落下した前記塵埃を外部に排出するためのロータリーバルブが設けられ、前記軸流式サイクロン集塵装置は、前記吸引ダクトの他方の側と前記送風機の吸込口との間に設けられており、前記傾斜スクリーンの下方には、前記傾斜スクリーンの下方に位置するとともに、他方の側が前記ロータリーバルブの下方位置まで延在するように設けられ、前記ロータリーバルブから排出されベルト上に載った前記塵埃を前記他方の側から前記一方の側に移動させるためのベルトコンベアを有していることを特徴とする。
【００１３】
本発明２の集塵機能を備えた吸引風力式選別装置は、本発明１において、
前記傾斜スクリーンは、所定の大きさのふるい目を有するものであり、前記原料が前記傾斜スクリーンの一方の側から他方の側に移動している間に、所定の大きさ以下の材料を、前記ふるい目を介して前記傾斜スクリーンの下方側に落下させて選別するものであることを特徴とする。
【００１４】
本発明３の集塵機能を備えた吸引風力式選別装置は、
複数の材料が含まれた原料が、搬送装置の一方の側から供給され、前記搬送装置の他方の側に位置したとき、前記原料から軽量の材料を選別するための吸引風力式選別装置であって、前記軽量な材料を吸引するための吸引用空気を生成するための送風機と、前記搬送装置の他方の側の上方に、前記原料の移動方向を横切るように設けられ、空気の流通が可能であるとともに所定の幅を有する無端ベルトであって、前記横切る方向に延びた巻回運動軌跡上を移動可能に、前記巻回運動軌跡の前記搬送装置側の面が、前記搬送装置に対して所定の間隔を有するとともに平行または略平行になるように設けられ、所定の大きさ以上であって軽量の材料を、前記吸引用空気により前記面に吸引させて前記横切る方向に回収するための巻回ベルトと、前記巻回ベルトを所定の方向に巻回運動させるための巻回駆動機構と、前記巻回ベルトの中間に、前記搬送装置側を向いている吸引口が一方の側に設けられた吸引ダクトと、前記送風機の吸込口、または、排気口に接続可能に設けられ、前記巻回ベルトを通過して前記吸引ダクトに流入した前記吸引用空気から前記所定の大きさ以下であって所定以上の質量を持った塵埃を遠心力で分離して集塵するための軸流式サイクロン集塵装置とを備え、前記軸流式サイクロン集塵装置は、一方の端部側の流入部と、他方の端部側の流出部と、前記流出部近傍の外周に設けられた塵埃排出部とを有し、筒状に形成されたサイクロン筒体と、前記サイクロン筒体のサイクロン室の中央部に設けられ、前記流入部から流入し、前記サイクロン筒体の軸線方向と平行に流れていく前記中央部近傍の空気の流れを、前記中央部側から前記サイクロン筒体の内壁面側に向かう方向に変える第１案内部材と、前記サイクロン筒体と前記第１案内部材との間に、所定角度傾斜するとともに、所定の角度毎に、複数枚、設けられた案内羽根からなり、前記流入部から流入し、前記サイクロン筒体の軸線方向と平行に流れていく前記中央部近傍の空気以外の他の空気の流れを、前記案内羽根の傾斜により、前記サイクロン室内を螺旋状に、前記流入側から前記流出側に流れる旋回流に変える第２案内部材とを有し、前記塵埃排出部には、所定の角度毎に、放射状に設けられた複数の羽根を有するロータを回転させることで、前記羽根間の空間に落下した前記塵埃を外部に排出するためのロータリーバルブが設けられ、前記軸流式サイクロン集塵装置は、前記吸引ダクトの他方の側と前記送風機の吸込口との間に設けられており、前記搬送装置の下方には、前記搬送装置の下方に位置するとともに、他方の側が前記ロータリーバルブの下方位置まで延在するように設けられ、前記ロータリーバルブから排出されベルト上に載った前記塵埃を前記他方の側から前記一方の側に移動させるためのベルトコンベアを有していることを特徴とする。
【発明の効果】
【００１９】
以上、説明したように、本発明の集塵機能を備えた吸引風力式選別装置は、軸流サイクロン式集塵装置で、巻回ベルトの孔、網目等を通過した所定の大きさ以下であって所定以上の質量を持った塵埃を含む空気から、所定の大きさ以下であって所定以上の質量を持った塵埃と清浄な空気との分離を行って、清浄な空気を吸引風力式選別装置の外部に排気するため、吸引風力式選別装置の設置場所の周辺環境を悪化させることがない。また、軸流サイクロン式集塵装置を、吸引風力式選別装置に一体に直結する構成にしており、吸引風力式選別装置を大型化させることがない。また、この軸流サイクロン式集塵装置は、他の集塵装置に比べ、構成が簡素で小型化することができ、かつ、安価に製造できるという経済的効果も有する。さらに、軸流サイクロン式集塵装置を採用することで、集塵性能を高くすることと圧力損失を少なくすることの両立が図れ、送風機等を小型化することができ、集塵機能を備えた吸引風力式選別装置の小型化、省スペース化を図ることができる。
【００２０】
また、この集塵機能を備えた吸引風力式選別装置では、原料から、軽量な材料（所定の大きさ以上であって軽量の材料、及び、巻回ベルトの孔、網目等を通過した所定の大きさ以下であって所定以上の質量を持った塵埃）を分離することができ、リサイクル可能な材料のみを、容易に、選別、回収することができる。
さらに、この集塵機能を備えた吸引風力式選別装置は、送風機の吸気口側に設けられる場合、軸流サイクロン式集塵装置の塵埃排出部にロータリーバルブを設けることによって、巻回ベルトの孔、網目等を通過した所定の大きさ以下であって所定以上の質量を持った塵埃を排出する機能と、軸流サイクロン式集塵装置のサイクロン室の密閉状態の維持を行う機能の両立を図ることができる。
【図面の簡単な説明】
【００２１】
【図１】図１は、本発明の集塵機能を備えた吸引風力式選別装置の実施の形態１を示す正面図である。
【図２】図２は、集塵機能を備えた吸引風力式選別装置のの実施の形態１を示す側面図である。
【図３】図３は、図１をＸ−Ｘ線で切断した断面図である。
【図４】図４は、図１をＹ−Ｙ線で切断した断面図である。
【図５】図５は、図３をＺーＺ線で切断した断面図である。
【図６】図６は、軸流サイクロン式集塵装置を示す断面図である。
【図７】図７は、図６をＵーＵ線で切断した断面図である。
【図８】図８は、ロータリーバルブを一部断面にして模式的に示した正面図である。
【図９】図９は、集塵機能を備えた吸引風力式選別装置の実施の形態２を部分的に示す正面図である。
【図１０】図１０は、集塵機能を備えた吸引風力式選別装置の実施の形態３を部分的に示す図であって、（ａ）は正面図、（ｂ）は側面図である。
【発明を実施するための形態】
【００２２】
以下、本発明の集塵機能を備えた吸引風力式選別装置について、図面に基づいて、その実施の形態を詳細に説明する。
図１は、本発明の集塵機能を備えた吸引風力式選別装置の実施の形態１を示す正面図、図２は、集塵機能を備えた吸引風力式選別装置の側面図、図３は、図１をＸ−Ｘ線で切断した断面図、図４は、図１をＹ−Ｙ線で切断した断面図、図５は、図３をＺーＺ線で切断した断面図である。図６は、軸流サイクロン式集塵装置を一部断面にして示す正面図、図７は、図６をＵーＵ線で切断した断面図である。図８は、ロータリーバルブを一部断面にして模式的に示した正面図である。
【００２３】
〔実施の形態１〕
図１に示すように、集塵機能を備えた吸引風力式選別装置（以下、吸引風力式選別装置と記載する。）１は、選別装置本体（以下、本体と記載する）５０、振動ふるい選別手段１０、吸引選別手段２０、軸流サイクロン式集塵装置９０等から構成されている。振動ふるい選別手段１０は、本体５０の上部に設けられ、ふるい枠体１１、傾斜スクリーン１２（図５参照）、加振装置１３、弾性支持体１６等から構成されている。ふるい枠体１１は、本体５０に対して弾性支持体１６を介して弾性支持されている。弾性支持体１６は、ばね部材、ゴム弾性体等を介して、ふるい枠体１１を弾性支持するものである。ふるい枠体１１には、加振装置１３が設けられている。加振装置１３は、加振モータ１４が回転するとベルトを介して回転し、ふるい枠体１１を振動させるものである。
【００２４】
ふるい枠体１１の内部には、所定の大きさ（例えば４０ｍｍ）のメッシュ（ふるい目）を有する傾斜スクリーン１２が設けられている。傾斜スクリーン１２は、後方側（一方の側）が高く、前方（シュート部材７０）側（他方の側）が低くなるような所定の角度（第１の角度）の傾斜をしている。傾斜スクリーン１２に供給された原料Ｇは、この傾斜と、傾斜スクリーン１２に付与される振動とによって、後方側（一方の側）より前方側（他方の側）に移動する。この傾斜スクリーン１２は、原料Ｇを一方の側から他方の側に搬送する機能を備えた搬送装置でもある。
【００２５】
投入された原料は、振動ふるい選別手段１０でふるわれ、所定の大きさ以下の原料は、傾斜スクリーン１２のメッシュを介して落下し選別される。落下したものは、ベルトコンベア６０のベルトの矢印Ｐ方向への移動によって、吸引風力式選別装置１の後方側の選別収集位置に収集される。
【００２６】
傾斜スクリーン１２の前端側には、振動ふるい選別手段１０でふるわれて落下しなかった原料、言い換えると所定の大きさ以上の原料が移動してくるシュート部材７０が設けられている。シュート部材７０は、ふるい枠体１１の前端部に固定され、底面部７０ａと側面部７０ｂとから形成されている。底面部７０ａは、網目状、長目状、格子状、くし状等に穴、溝等が形成され、空気の流通がたいへんよい形状の部材になっている。このシュート部材７０は、傾斜スクリーン１２が傾斜している第１の角度より小さい第２の角度に傾斜している。すなわち、シュート部材７０は、水平面に対して、ほぼ水平または緩い傾斜になっている。シュート部材７０が傾斜している第２の角度は、例えば、０〜５度の傾斜であるとよい。言い換えると、シュート部材７０が傾斜している第２の角度は、傾斜スクリーン１２が傾斜している第１の角度に比べ、大幅に小さな角度となっている。
【００２７】
すなわち、投入され、ふるわれた原料は、この緩い傾斜面である底面部７０ａ上を移動することにより、一時滞留したり、大幅に遅い速度で移動することになる。言い換えると、後から移動してくる原料に押される力と付与される振動によって、シュート部材７０の前方側に押されるように移動する。
なお、シュート部材７０は、ふるい枠体１１に対して取付角度の調整が可能になっているとよい。例えば、図５の実線で示したシュート部材と、二点鎖線で示したシュート部材の間で取付角度の調整が行えるようになっているとよい。
【００２８】
シュート部材７０上の所定の大きさ以上の原料は、吸引選別手段２０によって、吸引されて移動される所定の大きさ以上であって軽量の材料（所定の大きさ以上であって重量が軽い材料）と、吸引されない所定の大きさ以上で重量が重い材料に吸引選別される。吸引されない所定の大きさ以上で重量が重い材料は、シュート部材７０上を押し出されるように移動し、前端側から排出されベルトコンベア６０上に落下する。吸引風力式選別装置１の後方側の選別収集位置に収集される。
なお、シュート部材の下方に、前述したベルトコンベア６０とは別に、他のベルトコンベアを設け、所定の大きさ以上であって重量が重い材料を、他のベルトコンベアで吸引風力式選別装置の側方の他方の側に回収する形態にしてもよい。この構成については、本出願人が特許文献３（明細書の段落番号００６１、００７７、図８等）で詳細に説明を行っているので、ここでは説明を省略する。
【００２９】
所定の大きさ以上であって軽量の材料は、吸引選別手段２０、搬出シュート７５を介して、吸引風力式選別装置１の側方の一方の側（図３における左側）に、所定の大きさ以上であって軽量の材料ＭＢとして選別回収される。
【００３０】
吸引選別手段２０について、図２〜４に従って、さらに説明を行う。
図２〜４に示すように、本体５０には、支柱８２、片持ちはり部材８２ａが設けられている。片持ちはり部材８２ａには、吸引選別手段２０の吸引枠体２１が吊設されている。すなわち、吸引枠体２１の被取付部２１ｃが吊り下げボルト５１ｂで吊り下げられ、ナット５１ｃ等により片持ちはり部材８２ａに固定されている。吸引枠体２１には、メッシュコンベア２２が支持されている。
【００３１】
シュート部材７０の上方には、吸引選別手段２０の吸引枠体２１が設けられている。吸引枠体２１は、略直方体状のものであり、下側が開口していて吸引口２１ａを形成している。吸引口２１ａの搬出シュート７５側には、側面視、三角状の三角状吸引口２１ｄが形成されている。この三角状吸引口２１ｄは、吸引口２１ａ側より、吸引する風力を除々に小さくするためのものであり、吸引した所定の大きさ以上であって軽量の材料が自重により落下することを補助するためのものである。また、吸引枠体２０の一方の側面には、吸引ダクト８３が接続される吸引ダクト接続口２１ｂが形成されている。
【００３２】
吸引枠体２０の両方の側面には、各々、側面視、一対の取付部材６５ａ、取付部材６５ｂがボルト等締結手段で固定されている。取付部材６５ａ、取付部材６５ｂは、みぞ形鋼などであるとよい。
一対の取付部材６５ａ、６５ａには軸受ユニット６０ａ、６０ｄが取り付けられている。一対の取付部材６５ｂ、６５ｂには軸受ユニット６０ｂ、６０ｃが取り付けられている。図５に示すように、軸受ユニット６０ｃ、６０ｃは、支持ローラ２３ｃが設けられている軸体６２ｃの両端を回転可能に支持している。また、軸受ユニット６０ｄ、６０ｄは、支持ローラ２３ｄが設けられている軸体６２ｄの両端を回転可能に支持している。同様に、軸受ユニット６０ａ、６０ａは、支持ローラ２３ａが設けられている軸体６２ａの両端を回転可能に支持している。軸受ユニット６０ｂ、６０ｂは、支持ローラ２３ｂが設けられている軸体６２ｂの両端を回転可能に支持している。
【００３３】
支持ローラ２３ａ、２３ｂ、２３ｃ、２３ｄには、メッシュ状巻回ベルト２４が、図８、９に図示したような略台形状の移動軌跡上を回転動作可能に巻回されている。図１０に示すように、軸体６２ｃの一方の側には、メッシュコンベア用駆動モータ２５が設けられ、軸体６２ｃを回転駆動している。すなわち、巻回ベルト用駆動モータ２５が軸体６２ｃを回転駆動すると、メッシュ状巻回ベルト２４は、支持ローラ２３ａ、２３ｂ、２３ｃ、２３ｄに支持されて回転する。
【００３４】
メッシュコンベア２２は、支持ローラ２３ａ〜２３ｄ、支持ローラ２３ａ〜２３ｄ間に巻回されているメッシュ状巻回ベルト２４、メッシュコンベア用駆動モータ２５等から構成されている。
メッシュ状巻回ベルト２４には、ガイド部２４ａが形成されており、支持ローラ２３ａ、２３ｂ、２３ｃ、２３ｄに形成されたガイド溝部に係合している。メッシュ状巻回ベルト２４は、ガイド部２４ａが支持ローラのガイド溝部に係合して回転することにより、蛇行などしないようになっている。メッシュ状巻回ベルト２４は、所定の幅、長さを有する無端ベルトである。
【００３５】
メッシュ状巻回ベルト２４は、所定の大きさ（例えば、１０〜１ｍｍ）の孔（例えば、丸孔、角孔、長孔、亀甲孔）が複数形成された薄板状のベルト、所定の網目（例えば、長目２０〜１＊短目３〜１ｍｍ）に形成された長目状のメッシュベルト等であってもよく、要するに、支持ローラ間を巻回できるとともに、そのベルト面の孔、網目等を介して空気の流通がたいへんよいものであればよい。メッシュ状巻回ベルトは、薄板金属、合成樹脂などで製作されているとよい。
【００３６】
メッシュ状巻回ベルト２４は、原料が傾斜スクリーン１２上を移動していく方向を横切る方向に延びた巻回運動軌跡上を、支持ローラ２３ａ、２３ｂ、２３ｃ、２３ｄに支持されて巻回運動する。また、メッシュ状巻回ベルト２４は、少なくともシュート部材７０の上部を移動するベルト面が、シュート部材７０の面に対して、所定の間隔を有するとともに、平行または略平行に移動するように設けられて巻回する。
【００３７】
吸引枠体２１の吸引口２１ａ側には、メッシュ状巻回ベルト２４が吸引する風力によって、内側に変形しない（引き込まれない）ように、複数（この形態２では、吸引枠体２１の両側と中央に各々５個）のガイドローラ６４、６４・・が設けられている。このガイドローラ６４は、いわゆるカムフォロワ（ローラフォロワ）などと呼ばれているものが使用できる。ガイドローラ６４は、軸部が吸引枠体２１に形成された穴部を挿通し、ナット６４ａで吸引枠体２１に固定されている。吸引枠体２１には、ロールブラシ状の軽材料分離部材６３が設けられている。すなわち、軽材料分離部材６３のブラシの先端が、メッシュ状巻回ベルト２４の網目内に入って、メッシュ状巻回ベルト２４と吸引された所定の大きさ以上であって軽量の材料との分離を図ることができる。
【００３８】
また、メッシュ状巻回ベルト２４には、長手方向の所定の間隔毎に、横桟部２４ｂが設けられている。この横桟部２４ｂは、長く薄い原料がメッシュ状巻回ベルト２４に吸着されてしまうのを防止したり、吸引力が低下する位置またはなくなる位置で、吸引した所定の大きさ以上であって軽量の材料が自重で落下するのを容易にするためのものである。なお、メッシュ状巻回ベルトは、横桟部が設けられていないものであってもよい。
【００３９】
吸引本体２１の吸引ダクト接続口２１ｂには、吸引ダクト８３の一方の接続口が接続されている。吸引ダクト８３の他方の接続口と、送風機８４の吸込口との間には、軸流サイクロン式集塵装置９０が設けられている。軸流サイクロン式集塵装置９０は、吸引選別手段２０において原料を吸引選別しているとき、メッシュ状巻回ベルト２４に形成された孔、網目等を通過した所定の大きさ以下であって所定以上の質量を持った塵埃（以下、塵埃と記載する）を含有している吸引用空気から、塵埃を分離するためのものである。なお、この形態の説明でいう「所定以上の質量を持った塵埃」とは、空気より質量が大きい塵埃のことである。また、この形態の説明でいう「塵埃」は、メッシュ状巻回ベルトの孔、網目を通過した粉塵、ゴミを含むものである。送風機８４の吐出口には、排気口８７が形成された排気ダクト８６が接続されている。送風機８４は、送風機支持台８１に支持固定され、送風機用駆動モータ８５に駆動されるファン等で送風動作を行う。
【００４０】
送風機８４は、操作盤が前面に設けられた選別装置用制御盤８８で制御される。作業者は、この選別装置用制御盤８８で、送風機用駆動モータ８５の出力を調整し、送風機８４が発生する風力の調整を行うことができる。例えば、選別される原料の種類、所定の大きさ以上であって軽量の材料として吸引される材料の種類等により、メッシュ状巻回ベルト２４のベルト面を介して吸引する吸引力に相当する送風機８４の風力調整を行うことができる。送風機８４、吸引ダクト８３、排気ダクト８６、送風機用駆動モータ８５等により送風手段８０が構成されている。
【００４１】
軸流サイクロン式集塵装置９０には、筒状のサイクロン筒体９０Ａが設けられている。サイクロン筒体９０Ａは、吸引ダクト側サイクロン筒体９２と、送風機側サイクロン筒体９１とから構成され、両方の筒体はボルト・ナット等で一体に連結されている。吸引ダクト側サイクロン筒体９２には、一方の側（流入部側）に、吸引ダクト８３の他方の側に接続するための一方の接続部９２ａが設けられている。送風機側サイクロン筒体９１には、他方の側（流出部側）に、送風機８４の吸気部に接続するための他方の接続部９１ａが設けられている。吸引ダクト側サイクロン筒体９２の内部空間であるサイクロン室９１ｆの中央部には、流入部（一方の接続部９２ａ）側から流出部（他方の接続部９１ａ）側に、サイクロン筒体９０Ａの軸線方向と平行な方向に流れる空気の流れの向きを、サイクロン筒体９０Ａの内壁面（内壁面９２ｂ、内壁面９１ｂ）に向かう方向に変える第１案内部材９４が設けられている。
【００４２】
第１案内部材９４は、内周部９４ｅが形成されている内筒部９４ａと、内筒部９４ａの一方の側の外周に一端が固定され、他端側に開口部９４ｄを形成するための円弧状板部９４ｂと、円弧状板部の一方の端部に蓋をするための蓋板部９４ｃとから形成されている。すなわち、吸引ダクト側サイクロン筒体９２内を、図６における矢印Ｐで示す方向にサイクロン筒体９０Ａの中央部近傍を流れていく空気は、第１案内部材９４によって、矢印Ｐ１方向、矢印Ｐ２方向と流れる向きを変え、開口部９４ｄから矢印Ｐ３方向に流出する。すなわち、内壁面（内壁面９２ｂ、内壁面９１ｂ）に向かう方向（矢印Ｐ３方向）に強制的に流れを変えている。なお、円弧状板部９４ｂで形成される開口部９４ｄは、この形態では等角度に４個設けた例で説明を行っているが、１個以上設けられていればよく、吸引用空気の流量、内筒部９４ａの断面積、開口部９４ｄの断面積等の関係から適宜選定されるとよい。また、内筒部９４ａの断面積は、サイクロン筒体９０Ａの断面積の５〜３．５％の範囲内になっているとよい。
【００４３】
吸引ダクト側サイクロン筒体９２と第１案内部材９４の内筒部９４ａの外周面との間には、サイクロン筒体９０Ａの中心軸線に対して所定角度〔図６のα度（例えば、４５度）〕傾斜しているとともに、所定の角度（例えば、３０度）毎に設けられた複数枚（例えば、１２枚）の案内羽根９３ａを有する第２案内部材９３が設けられている。案内羽根９３ａは、吸引ダクト側サイクロン筒体９２の内周面９２ｂと、第１案内部材９４の内筒部９４ａの外周面とに、各々、溶接等で固定されている。すなわち、吸引ダクト８３側サイクロン筒体９２内を、図６における矢印Ｑで示す方向にサイクロン筒体９０Ａの中央部近傍以外を流れていく空気（中央部近傍の空気以外の他の空気）は、案内羽根９３ａ、案内羽根９３ａの間の空間を通過する。そして、この案内羽根９３ａ間を通過するとき、案内羽根９３ａの傾斜によって、矢印Ｑ１方向、矢印Ｑ２方向、矢印Ｑ３方向、矢印Ｑ４方向へと流れの向きを変えて流れる。なお、案内羽根の傾斜角度は、４５〜６０度の範囲であればよく、案内羽根の枚数も１０〜２０枚の範囲にあればよい。この案内羽根の傾斜角度、枚数は、吸引用空気の流量、サイクロン筒体の断面積等の関係から適宜選択されるとよい。
【００４４】
第１案内部材９４、第２案内部材９３によって流れの向きが変えられた空気は、サイクロン筒体９０Ａの内壁面（内壁面９２ｂ、内壁面９１ｂ）に沿って旋回するとともに、一方の接続部９２ａ側から他方の接続部９１ａ側に流れる螺旋状の流れ（矢印Ｑ５）となる。言い換えると、サイクロン室９１ｆ内を流れる空気は、サイクロン室９１ｆ内を旋回運動しながら、一方の側（吸引ダクト８３側）から他方の側（送風機８４側）に流れる。このとき、空気より質量が大きい塵埃等は、遠心力の作用でサイクロン筒体９０Ａの内壁面（内壁面９２ｂ、内壁面９１ｂ）に衝突し、内壁面９２ｂ、内壁面９１ｂとの摩擦で速度が低下し、送風機側サイクロン筒体９１の他方の側近傍の下方に位置している塵埃排出部９０Ｂに遠心力、及び、重力により落下する。送風機側サイクロン筒体９１の他方の側には、分離用内筒部９１ｃ、端面板部９１ｄが設けられている。吸引ダクト８３側から流入してくる空気に含まれている塵埃の量が多い場合、他方の側に旋回流として流れてきた空気に塵埃が少量含まれている可能性があるが、残りの塵埃が端面板部９１ｄに衝突し、摩擦により速度が低下した塵埃は重力により塵埃排出部９０Ｂに矢印Ｒ２方向に落下する。塵埃が分離され清浄になった空気は、矢印Ｑ６、Ｑ７方向に流れ、他方の接続部９１ａの内周側を矢印Ｒ１方向に流れていく。
【００４５】
空気より分離された塵埃等は、塵埃排出部９０Ｂの排出用ホッパー部９１ｅに落下する。排出用ホッパー部９１ｅの下部には、ロータリーバルブ９８が設けられており、吸引用空気から分離・除去され排出用ホッパー部９１ｅに堆積した塵埃は、ロータリーバルブ９８の回転運動により軸流サイクロン式集塵装置９０の外部に排出される。ロータリーバルブ９８は、複数枚（例えば、８枚）の羽根９８ｃを所定の角度毎に放射状設けられたロータ９８ｂを、ロータリーバルブ本体９８ａの水平円筒９８ｄ内で回転させることで、羽根９８ｃによって区切られた部屋である羽根空間部９８ｅに、上方から塵埃を受け入れ、かつ、下方から外部に排出するものである（図８参照）。言い換えると、羽根空間部９８ｅは、回転運動をしているとき、排出用ホッパー部９１ｅ側に位置したとき塵埃を受け入れ、排出用ホッパー部９１ｅの反対側に位置したときロータリーバルブ９８の下方から外部に塵埃を排出するものである。
【００４６】
この形態では、ロータ９８ｂを駆動用モータ（図示せず）で回転させている。また、羽根９８ｃとロータリーバルブ本体９８ａとは、気密性が保つようになっているため、塵埃を軸流サイクロン式集塵装置９０の外部へ排出する機能と、サイクロン室９１ｆ内の密閉性を維持する機能の両立が図れるようになっている。すなわち、塵埃排出部９０Ｂ側からサイクロン室９１ｆ内に空気を吸い込まないようになっている。
なお、この形態１では、塵埃排出部の下方にロータリーバルブを設けた例で説明を行っているが、サイクロン室の密閉を維持しながら塵埃の回収を行うために密閉された回収容器（例えば、密閉されたバケツ）を設けた構成のものであってもよい。
【００４７】
次に、吸引風力式選別装置１の作用について、説明を行う。
原料Ｇは、図示しないベルトコンベア等によって、図１に示した矢印で示すように、ふるい枠体１１の上方の後方側からふるい枠体１１内に投入される。投入された原料Ｇは、ふるい枠体１１内でふるわれ、傾斜スクリーン１２のメッシュより小さい原料がベルトコンベア６０上に落下する。この落下した原料は、ベルトコンベア６０によって、吸引風力式選別装置１の後方に搬送される。
【００４８】
ふるい枠体１１内でふるわれ、傾斜スクリーン１２より落下しない原料は、所定の大きさ以上の原料であり、傾斜スクリーン１２の振動及び傾斜に沿って、シュート部材７０上に移動する。シュート部材７０は、傾斜スクリーン１２より傾斜が緩やかになっているので、所定の大きさ以上の原料は、しばらく、滞留状態または滞留に近い状態のようになる。すなわち、後からシュート部材７０上に移動してくる原料に押されるように、少しずつ、移動する。
【００４９】
シュート部材７０の上方には、吸引選別手段２０が設けられている。吸引選別手段２０は、送風機８４の作用により、シュート部材７０の下方、シュート部材７０近傍の空気が、吸引枠体２１の吸引口２１ａから、吸引ダクト８３等を介して吸引されている。吸引された空気は軸流サイクロン集塵装置９０内に流入し、軸流サイクロン集塵装置９０で空気と空気に含まれている塵埃とが分離され、清浄になった空気が排気ダクト８６の排気口８７より排気される。すなわち、空気の流通がたいへんよい形状に形成されているシュート部材７０、メッシュ状巻回ベルト２４を介して、吸引口２１ａからシュート部材７０の下方または近傍の空気が吸引されている。従って、この吸引力で、シュート部材７０上の所定の大きさ以上であって軽量の材料がメッシュ状巻回ベルト２４に吸引され、メッシュ状巻回ベルト２４の巻回運動によって、Ｄ１方向に移動する。メッシュ状巻回ベルト２４の孔、網目等を通過した塵埃を含む吸引用空気は、軸流サイクロン式集塵装置９０内で塵埃と清浄な空気とに分離され、塵埃は軸流サイクロン式集塵装置９０の塵埃排出部９０Ｂから軸流サイクロン式集塵装置９０の外部に排出される。言い換えると、送風機８４は、清浄になった空気を吸気して排気口８７から排気する。
【００５０】
このとき、シュート部材７０上の原料は、遅い速度で少しずつ移動しているので、長い時間、シュート部材７０の下方または近傍の空気が吸引口２１ａから吸引される状態の中におかれていることになる。また、シュート部材７０は、ふるい枠体１１と一体に振動しているので、シュート部材７０上の原料も振動している。すなわち、メッシュ状巻回ベルト２４は、軽量の材料を確実に吸引して巻回することができる。
【００５１】
メッシュ状巻回ベルト２４は、吸引口２１ａと対向している位置をはずれると吸引力がなくなるので、所定の大きさ以上であって軽量の材料は自重によりメッシュ状巻回ベルト２４から離れ落下する。落下した所定の大きさ以上であって軽量の材料は、搬出シュート７５を介して、側方の一方の側（図３の左側）に設けられた回収箱７６内に、所定の大きさ以上であって軽量の材料ＭＢとして選別回収される。このとき、吸引口２１ａには三角状吸引口２１ｄが形成されており、徐々に吸引力が小さくなるようになっているので、メッシュ状巻回ベルト２４と所定の大きさ以上であって軽量の材料との分離が容易となる。また、メッシュ状巻回ベルト２４に形成された横桟部２４ｂ、吸引枠体２１に設けられた軽材料分離部材６３も、メッシュ状巻回ベルト２４と所定の大きさ以上であって軽量の材料との分離を補助し、分離をさらに容易にする作用をする。
【００５２】
シュート部材７０上にあって、吸引選別手段２０によって、吸引されない材料は、後からくる原料の重さ、付与された振動等により押し出されるようにシュート部材７０上を移動し、シュート部材７０の前端側から排出されてベルトコンベア６０のベルト６０ａ上に落下し、吸引風力式選別装置１の後方側に、所定の大きさ以上であって重量が重い材料として搬送される。
【００５３】
メッシュ状巻回ベルト２４の孔、網目を通過した塵埃は、吸引用空気とともに吸引ダクト８３を介して軸流サイクロン式集塵装置９０に流入する。塵埃を含む吸引用空気は、軸流サイクロン式集塵装置９０において、塵埃と清浄な空気とに分離される。清浄な空気は、送風機８４に流入する。塵埃は、塵埃排出部９０Ｂ、ロータリーバルブ９８を介して軸流サイクロン式集塵装置９０の外部に排出される。
【００５４】
〔実施の形態２〕
図９に基づいて、集塵機能を備えた吸引風力式選別装置の実施の形態２の説明を行う。図９は、集塵機能を備えた吸引風力式選別装置の実施の形態２を部分的に示す正面図である。なお、この実施の形態２の説明では、実施の形態１と同一のものに、同一の符号を付与して詳細な説明を省略している。
【００５５】
この集塵機能を備えた吸引風力式選別装置１０１では、ベルトコンベア１６０が、軸流サイクロン式集塵装置９０の塵埃排出部９０Ｂの下方まで延在するように構成している。軸流サイクロン式集塵装置９０は、本体５０、支持部材９９で支持されている。そして、軸流サイクロン式集塵装置９０で、塵埃（メッシュ状巻回ベルト２４の孔、網目等を通過した所定の大きさ以下であって所定以上の質量を持った塵埃）と清浄な空気との分離が行われる。この分離により、塵埃は、ベルトコンベア１６０のベルト１６０ａ上に落下し、傾斜スクリーン１２等から落下した材料（所定の大きさ以下の材料、所定の大きさ以上であって重量が重い材料）とともに、吸引風力式選別装置１０１の後方側に搬送するようにしている。また、この集塵機能を備えた吸引風力式選別装置１０１の塵埃排出部９０Ｂにはロータリーバルブ９８が設けられている。
【００５６】
この形態２は、複数の材料が含まれた原料から、所定の大きさ以上であって軽量の材料（例えば、木片、プラスチック、紙等）をゴミとして選別すればよい簡素な機能の選別装置に好適な構成とすることができる。ゴミが取り除かれた複数の材料が含まれた原料は、ベルトコンベア１６０等で搬送された場所等で、他の処理（例えば、破砕処理、分級処理など）が施され、リサイクル可能な原料となる。また、塵埃の排出処理に関する作業を行う必要がないためメンテナンスフリーとすることができる。
【００５７】
〔実施の形態３〕
図１０に基づいて、集塵機能を備えた吸引風力式選別装置の実施の形態３の説明を行う。図１０は、集塵機能を備えた吸引風力式選別装置の実施の形態３を部分的に示す図であって、（ａ）は正面図、（ｂ）は側面図である。なお、この実施の形態３の説明では、実施の形態１と同一のものに、同一の符号を付与して詳細な説明を省略している。
【００５８】
この集塵機能を備えた吸引風力式選別装置２０１は、送風機８４の排気口側に、軸流サイクロン式集塵装置１９０を設けた形態のものである。この軸流サイクロン式集塵装置１９０は、サイクロン筒体１９０Ａの軸線が鉛直方向または略鉛直方向に向くように設けられている。サイクロン筒体１９０Ａは、前述したサイクロン筒体９０Ａとほぼ同一の構成のものであり、サイクロン室内に第１案内部材９４、第２案内部材９３が設けられている。サイクロン筒体１９０Ａのサイクロン室内を流れる空気は、第１案内部材９４、第２案内部材９３により旋回流となり、この旋回流による遠心力の作用で、塵埃は空気から分離され、塵埃排出部１９０Ｂから排出される。塵埃排出部１９０Ｂには、塵埃を下方側に落下させるための排出用ホッパー１９１ｅが設けられている。清浄な空気は排気口８７から排気される。塵埃排出部１９０Ｂの下方には、塵埃回収容器（図示せず）を設けてあり、塵埃は塵埃回収容器に回収される。このような構成にすることにより、集塵機能を備えた吸引風力式選別装置２０１の小型化、省スペース化を更に図ることができる。
なお、この形態３では、塵埃排出部から直に塵埃を塵埃回収容器に回収するようになっているが、塵埃排出部に配管を設け、任意の位置まで塵埃を搬送するようにしてもよい。この場合に、塵埃は排気の力で圧送される。
【００５９】
以上、本発明の実施の形態について説明を行ったが、本発明がこの実施の形態に限定されることはない。本発明の目的、趣旨を逸脱しない範囲内での変更が可能なことはいうまでもない。例えば、シュート部材を不要な構成にして、吸引選別手段が傾斜スクリーンの他端側に設けられているものであってもよい。また、吸引選別手段は、スクリーン装置の上部でなく、コンベア装置等搬送装置の上部に設けられていてもよい。すなわち、複数の材料が含まれた原料は、コンベア装置の一方の側から供給され、他方の側に搬送される。そして、複数の材料が含まれた原料がコンベア装置の他方の側に位置したとき、吸引選別手段による選別が行われる構成であってもよい。
【符号の説明】
【００６０】
１、１０１、２０１ … 集塵機能を備えた吸引風力式選別装置 
１０ … 振動ふるい選別手段
１１ … ふるい枠体
１２ … 傾斜スクリーン
２０ … 吸引選別手段
２１ … 吸引枠体
２２ … メッシュコンベア
２４ … メッシュ状巻回ベルト
５０ … 選別装置本体
６０ … ベルトコンベア
７０ … シュート部材
８３ … 吸引ダクト
８４ … 送風機
８６ … 排気ダクト
９０、１９０… 軸流サイクロン式集塵装置
９３ … 第２案内部材
９４ … 第１案内部材
９８ … ロータリーバルブ
【図１】
0005634324.tif 000002
【図２】
0005634324.tif 000003
【図３】
0005634324.tif 000004
【図４】
0005634324.tif 000005
【図５】
0005634324.tif 000006
【図６】
0005634324.tif 000007
【図７】
0005634324.tif 000008
【図８】
0005634324.tif 000009
【図９】
0005634324.tif 000010
【図１０】
0005634324.tif 000011